(57)【要約】【課題】本発明は複数の電池セルの配列を変えることなく、他の組電池といった外部との接続距離を短くすることのできる組電池用のバスバー及び組電池を提供することを目的とする。【解決手段】  複数の二次電池を並列配置したときに端部に位置する二次電池の正極端子または負極端子と接続されるバスバーであって、  前記正極端子または前記負極端子に取り付けられたときに、二次電池の前記正極端子および前記負極端子が設けられた面と略平行な第一の接続部と、  前記第一の接続部と略平行な第二の接続部と、  前記第二の接続部と略直角な第三の接続部と、  前記第二の接続部および前記第三の接続部と略直角な第四の接続部と、を備えている組電池用バスバー。【選択図】図１
2017228497.tif 000002
【特許請求の範囲】
【請求項１】
複数の二次電池を並列配置したときに端部に位置する二次電池の正極端子または負極端
子と接続されるバスバーであって、
前記正極端子または前記負極端子に取り付けられたときに、二次電池の前記正極端子お
よび前記負極端子が設けられた面と略平行な第一の接続部と、
前記第一の接続部と略平行な第二の接続部と、
前記第二の接続部と略直角な第三の接続部と、
前記第二の接続部および前記第三の接続部と略直角な第四の接続部と、
を備えた、組電池用バスバー。
【請求項２】
前記第三の接続部は、前記複数の二次電池を収容するケースの１つの側面と並行に配置
され、前記第四の接続部は前記ケースの１つの側面に直交する側面と並行に配置される、
請求項１の組電池用バスバー。
【請求項３】
複数の二次電池と、
前記二次電池の正極端子または負極端子に取り付けられたときに、前記二次電池の前記
正極端子および前記負極端子が設けられた面と略平行な第一の接続部と、前記第一の接続
部と略平行な第二の接続部と、前記第二の接続部と略直角な第三の接続部と、前記第二の
接続部および前記第三の接続部と略直角な第四の接続部と、を有した組電池用バスバーと
、
を備えた、略直方体型の組電池。
【発明の詳細な説明】
【技術分野】
【０００１】
本発明の実施形態は、組電池用バスバー及び組電池に関する。
【背景技術】
【０００２】
蓄電池等の分野においては、所望の電力を取り出すために出力の小さい電池セルを複数
接続し、1個の組電池を構成することは広く行われている。そのような組電池では、隣接
した電池セルの各電極は平板状のバスバーで接続される。
【先行技術文献】
【特許文献】
【０００３】
【特許文献１】特開２０１５−１６４１０１号公報
【発明の概要】
【発明が解決しようとする課題】
【０００４】
このようにして複数の電池セルを接続する場合、組電池における電池セルは組電池の体
積が最も小さくなるように配列されることが多い。そのため、電池セルの配列は電池セル
の個数等によって一意的に決まり、複数の電池セルを接続した電池セル群の両端にあたる
電池セルの正極又は負極の位置も一意的に決まってしまうことがある。
【０００５】
一方、例えば、組電池同士を接続する際その接続配線は短い方が好ましいが、前記電池
セル群の両端にあたる電池セルの正極又は負極の位置は、必ずしも組電池同士を接続する
際にその配線が短くなるような位置となっているとは限らない。
【０００６】
そこで、本発明は複数の電池セルの配列を変えることなく、他の組電池といった外部と
の接続距離を短くすることのできる組電池用のバスバー及び組電池を提供することを目的
とする。
【課題を解決するための手段】
【０００７】
上記の課題を解決するために、本実施形態の組電池用バスバーは、
複数の二次電池を並列配置したときに端部に位置する二次電池の正極端子または負極端
子と接続されるバスバーであって、
前記正極端子または前記負極端子に取り付けられたときに、二次電池の前記正極端子お
よび前記負極端子が設けられた面と略平行な第一の接続部と、
前記第一の接続部と略平行な第二の接続部と、
前記第二の接続部と略直角な第三の接続部と、
前記第二の接続部および前記第三の接続部と略直角な第四の接続部と、
を備えている。
【図面の簡単な説明】
【０００８】
【図１】実施形態に係る組電池の斜視図。
【図２】実施形態に係る二次電池の斜視図。
【図３】実施形態に係る組電池の分解斜視図。
【図４】実施形態に係る組電池用バスバーの斜視図。
【発明を実施するための形態】
【０００９】
以下、実施形態を図面に基づき説明する。
【００１０】
（第１の実施形態）
図１は、実施形態に係る組電池１の斜視図である。組電池１の筐体１２は、上面が開口
した矩形箱状の下部ケース１６と、この下部ケース１６の開口している上面側を覆う上部
ケース１８と、更に、上部ケースの下部ケース１６と反対側を覆うカバー２０と、から構
成される。そして、筐体１２の内部に複数の電池セル１０が収容される。
【００１１】
なお、筐体１２の各部品には、絶縁性を有した合成樹脂材料（例えば、変性ＰＰＥ（ポ
リフェニレンエーテル）や、ＰＦＡ（パーフルオロアルコキシアルカン、テトラフルオロ
エチレン・パーフルオロアルキルビニルエーテル共重合体）等）が用いられている。また
、筐体１２の合成樹脂材料としては、熱可塑性樹脂を用いることができ、例えば、ＰＥや
、ＰＰ、ＰＭＰ等のオレフィン樹脂、ＰＥＴや、ＰＢＴ、ＰＥＮ等のポリエステル系樹脂
、ＰＯＭ樹脂、ＰＡ６、ＰＡ６６、ＰＡ１２等のポリアミド系樹脂、ＰＰＳ樹脂、ＬＣＰ
樹脂等の結晶性樹脂およびそれらのアロイ樹脂、あるいは、ＰＳや、ＰＣ、ＰＣ／ＡＢＳ
、ＡＢＳ、ＡＳ、変性ＰＰＥ、ＰＥＳ、ＰＥＩ、ＰＳＦ等の非結晶性樹脂およびそれらの
アロイ樹脂を、用いることができる。
【００１２】
図２は、電池セル１０を示している。電池セル１０は、例えば、リチウムイオン電池な
どの非水電解質二次電池であり、例えば、アルミニウムまたはアルミニウム合金で形成さ
れた扁平又は略直方形状の外装容器２と、外装容器２内に非水電解液と共に収納された電
極体（図示しない）と、を備えている。
【００１３】
外装容器２は、上端が開口した容器本体２ａと、容器本体２ａに溶接されて容器本体２
ａの開口を閉塞した矩形板状の蓋体２ｂとから成り、そして内部が液密に形成されている
。外装容器２の容器本体２ａは、一対の長側面４３と、長側面４３より短い一対の短側面
４４と、により構成されている。また、外装容器２の蓋体２ｂは、正極端子３及び負極端
子４を備えており、正極端子３及び負極端子４は電極体に電気的に接続されている。また
、電池セル１０内に発生したガスを排出するガス排出弁５を備え、さらに、電解液を電池
セル１０内に注入するための注液孔６及び、注液孔６を封止する封止板７等を有している
。
【００１４】
電極体は、例えば、正極板および負極板をその間にセパレータを介在されて渦巻き状に
巻回し、更に、径方向に圧縮することにより、偏平な矩形状に形成されている。
【００１５】
図３は、カバー２０がとり外されている状態の組電池１の斜視図である。また、図３は
電池セル１０を９個直列に接続した例を示しており、電池セル１０は長側面４３同士を対
向させて組電池１内に配列され、電池セル群を構成する。さらに、正極端子３および負極
端子４は、それぞれ上部ケース１８に取り付けられたバスバー２１によって他の電池セル
１０の正極端子３または負極端子４と電気的に接続される。なお、バスバー２１は、導電
性のアルミニウムや真鍮等の金属板を曲げて成形して形成さる。
【００１６】
さらに、電池セル群の両端部に配置される電池セル１０ａおよび電池セル１０ｂがそれ
ぞれの有する２つの電極端子、すなわち、正極端子３および負極端子４の一方は、図４に
示すバスバー２２に接続されている。バスバー２２は、例えば、組電池１の矩形上部ケー
ス１８における角部（４隅部）に設けられている。バスバー２２は、電池セル１０の正極
端子３及び負極端子４のうちの一方と、組電池１の外部（例えば、他の組電池若しくはモ
ーターなどの負荷）とを接続できる構造となっている。
【００１７】
バスバー２２は、導電性のアルミニウムや真鍮等の金属板を曲げることで形成されてお
り、電池セル１０の端子に接続するための、例えば溶接用の孔２６ａを有する第一の接続
部２６を備えている。第一の接続部２６は例えば、電池セル１０の端子面と略平行であり
、電気的に接続されている。
【００１８】
また、バスバー２２は、第一の接続部２６から略直角方向に延伸した継手部２８を備え
、さらに継手部２８から略直角方向に延伸した第二の接続部２３を備える。さらに、第二
の接続部２３からは略直角方向に延伸した第三の接続部２４及び第四の接続部２５を備え
る。それぞれ第三の接続部２４及び第四の接続部２５は略直交するように配置されている
。また、例えば、他の組電池などと接続するためのハーネスと、接続部２３とを例えばネ
ジにより接続するため、孔２３ａを第二の接続部２３に、孔２４ａを第三の接続部２４に
、孔２５ａを第四の接続部２５に形成している。
【００１９】
さらに、バスバー２２には、制御回路基板（図示略）などにねじ止め固定されるための
孔２７ａが形成された接続片２７が設けられている。
【００２０】
ここで第二の接続部２３は、例えば、第一の接続部２６およびカバー２０の上面と略平
行な平面を形成している。さらに、第三の接続部２４は、例えば上部ケース１８の長側面
と略平行な平面を形成し、第四の接続部２５は、例えば上部ケース１８の短側面と略平行
な平面を形成している。
【００２１】
ここで、第一の接続部２６と継手部２８とは屈曲部３１によって接続され、継手部２８
と第二の接続部２３とは屈曲部３２によって接続され、第二の接続部２３と第三の接続部
２４とは屈曲部３４によって接続され、第二の接続部２３と第四の接続部２５とは屈曲部
３３によって接続されている。ここで、屈曲部３１、３２、３３、３４は略９０度の曲げ
角度を有するものであってもよいし、９０度以上の曲げ角度を有していてもよい。
【００２２】
また、図３に示すように、電池セル群の両端部に配置される電池セル１０ａおよび電池
セル１０ｂはバスバー２２を経て、バスバー３０に電気的に接続されている。
【００２３】
バスバー３０は、例えばカバー２０とバスバー２２と上部ケース１８との間に設置され
た制御回路基板（図示略）とで形成された空間に配置されている。また、バスバー３０は
電池セル群の配列方向に対して直交する方向に延伸され、電池セル１０ａおよび電池セル
１０ｂに接続されていないバスバー２２に対して電気的に接続できるように延伸されてい
る。
【００２４】
バスバー３０の端部には、第一の接続バスバー２２と例えばネジにより接続するための
孔３０ａおよび孔３０ｂを備えており、また、バスバー３０は導電性のアルミニウムや真
鍮等の金属板を曲げて成形して形成されている。
【００２５】
図１に示すように、カバー２０の例えば、上面における角部（４隅部）には、バスバー
２２およびバスバー３０に設けられた孔に対してねじが挿通できる孔５０を有する。また
、上部ケース１８の角部（４隅部）及びカバー２０側面の角部（４隅部）には、バスバー
２２およびバスバー３０に設けられた孔に対してねじが挿通できる切欠き部５１を有する
。
【００２６】
以上のような実施形態によると、バスバー２２の第二の接続部２３又は第三の接続部２
４又は第四の接続部２５から、外部、例えば、モーターなどの外部付加、他の組電池１、
充放電装置等と接続することが可能となる。すなわち、互いに直角な３方向から外部に対
して電気的に接続することが可能となる。よって、バスバーから外部に接続できる方向が
１方向のみの場合と比較して、組電池１と外部との接続距離を短くすることができ、接続
部材が節約できる。また、接続距離を短くすることができる為、組電池１及び組電池１と
接続するその他機器の設置スペースを小さくすることができる為、組電池１及び組電池１
と接続するその他機器を含めた体積エネルギー密度を向上することが可能となる。また、
組電池１等の組み合わせ方の自由度が向上することで、限られたスペースであっても設置
することが容易となる。
【００２７】
また、例えば、複数の電池セル１０を電池セル１０の長側面４３同士を対面させて直列
に接続して組電池１内に収容するとき、複数の電池セル１０を接続した電池セル群の一端
の正極と、他端の負極の位置は一意的に決まる。例えば、図３のように、９個の電池セル
１０を直列に接続した時、９個の電池セル１０を接続した電池セル群の一端の正極と、他
端の負極は、電池セル群を電極の有する側から見た時の電池セル群を四角形と捉えると、
対角線状に位置する。同様に、１０個の電池セル１０を直列に接続した電池セル群の一端
の正極と、他端の負極は、電池セル群を電極の有する側から見た時の電池セル群を四角形
と捉えると、同一辺上に位置する。
【００２８】
ここで、例えば並列若しくは直列に電気的に接続された電池セル群の一端の正極に対し
て、例えば、バスバー２２（ここではバスバー２２ａ）を介してバスバー３０に電気的に
接続され、バスバー３０が、電池セル１０に電気的に接続されていないバスバー２２に対
して電気的に接続されることにより、バスバー２２とは異なる位置から、バスバー２２を
介して外部に対に電気的に接続することができる。よって、従来外部に対して接続できる
箇所が電池セルの配列によって一意的に決まっていたところ、バスバー３０を用いること
で、外部に接続できる箇所を適宜変更することができる。よって、組電池１と外部との接
続距離を短くすることが可能となり、接続部材が節約できる。また、接続距離を短くする
ことができる為、組電池１及び組電池１と接続するその他機器の設置スペースを小さくす
ることができる為、組電池１及び組電池１と接続するその他機器を含めた体積エネルギー
密度を向上することが可能となる。また、組電池１等の組み合わせ方の自由度が向上する
ことで、限られたスペースであっても設置することが容易となる。
【００２９】
また、バスバー２２及びバスバー３０を組み合わせることで、組電池１は、電池セル１
０の配列に依存することなく、任意の箇所で、任意の方向に対して電気を外部に取り出す
ことが可能となり、組電池１等の省スペース化、高エネルギー密度化、組電池１等の組み
合わせ方自由度の向上が可能となる。
【００３０】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００３１】
１…組電池、２…外装容器、３…正極端子、４…負極端子、５…ガス排出弁、６…注液孔
、７…封止板、１０…電池セル、１６…下部ケース、１８…上部ケース、２０…カバー、
２１、２２、３０…バスバー、２６…第一の接続部、２３…第二の接続部、２４…第三の
接続部、２５…第四の接続部、５０…孔、５１…切欠き部
【図１】
2017228497.tif 000003
【図２】
2017228497.tif 000004
【図３】
2017228497.tif 000005
【図４】
2017228497.tif 000006